(57)【要約】【課題】本考案の敷布団は、黴の発生を見ることはなく、従来のような結露や黴の発生を防止するために、抗菌剤、防黴剤、更にはダニ忌避剤等で処理する必要がなくなった。【解決手段】本考案の防黴性、防ダニ性を有する敷布団１は、中芯２とカバー地３からなり、前記カバー地３の底面６側に高分子製のネット構造体１０を配した。【選択図】図１
0003128381.tif 000002
【実用新案登録請求の範囲】
【請求項１】
中芯とカバー地からなり、該カバー地の底面側に高分子製のネット構造体を配したことを特徴とする防黴性、防ダニ性を有する布団。
【請求項２】
前記ネット構造体は骨格部分の太さが０．５ｍｍ以上、網目以外の空隙部分の面積比率が全体面積の１０％以上である格子構造体或いは表面ハニカム構造体である請求項１に記載の防黴性、防ダニ性を有する布団。
【請求項３】
前記高分子製のネット構造体は合成繊維からなることを特徴とする請求項１又は２記載の防黴性、防ダニ性を有する布団。
【請求項４】
前記合成繊維はポリエステル、ポリプロピレン、ナイロンから選択された請求項２に記載の防黴性、防ダニ性を有する布団。
【請求項５】
前記高分子製のネット構造体は合成樹脂からなることを特徴とする請求項１又は２記載の防黴性、防ダニ性を有する布団。
【請求項６】
前記中芯はウレタンフォームからなることを特徴とする請求項１に記載の防黴性、防ダニ性を有する布団。
【考案の詳細な説明】
【技術分野】
【０００１】
本考案は、防黴性、防ダニ性を有する敷布団や座布団に関するものである。
【背景技術】
【０００２】
以下、本考案の布団を敷布団を代表例として説明する。さて、敷布団を室内空間に比べて温度の低い床、特にフローリング等に直接敷いて使用すると、床に接触する底面側での風通しの悪さと温度差により結露が生じて黴が発生しやすくなり、敷布団のカバ−地が変色したり、場合によっては敷布団の中芯にまで影響を与えるが、フロ−リング等の床の表面も結露や黴によるシミが残ってしまうことがある。
【０００３】
従って、結露や黴の発生を防止するために、敷布団に使用するカバー地の底面側を抗菌剤、防黴剤、更にはダニ忌避剤等で処理する方法が行われ、或いは、敷布団の下に更に格子状の敷物を敷く方法等がとられてきた。
【０００４】
しかしながら、抗菌剤や防黴剤等の薬剤により繊維（カバ−地）を処理するには相応のコストと時間が必要であり、又、そのような目的で使われる薬剤は長期間にわたって効果を発揮するとは限らず、更に、一度黴が発生した場合にはそれを除くための除去作業も余儀なくされ、使用者にとっては大きな負担となってきた。
【０００５】
又、比較的強い薬剤で処理する場合には人体或いは周囲環境にとってマイナス面がないとは言えず、薬剤に頼らずに防黴、防ダニ効果を発揮する敷布団或いは敷布団用カバー地の開発が望まれてきた。
【考案の開示】
【考案が解決しようとする課題】
【０００６】
本考案の目的は、以上のような従来の技術に鑑みてなされたものであり、底面に使われる繊維を薬剤で処理せずに防黴、防ダニ性を持たせた敷布団を提供することにある。
【課題を解決するための手段】
【０００７】
上記課題を解決するために本考案の防黴性、防ダニ性を有する敷布団は、中芯とカバー地からなり、前記カバー地の底面側に高分子製のネット構造体を配したことを特徴とするものである。
【考案の効果】
【０００８】
本考案の敷布団によれば、黴の発生を見ることはなく、従来のような結露や黴の発生を防止するために、抗菌剤、防黴剤、更にはダニ忌避剤等で処理する必要がなくなったものである。
【考案を実施するための最良の形態】
【０００９】
本考案の敷布団は、例えば、ポリウレタンフォ−ムを用いた中芯とカバー地とからなるものであり、通常は、カバー地は使用者が睡眠する表面と側面そして底面からなる。そして、表面、側面は天然繊維又は合成繊維の織布からなり、底面には表面と同質の合成繊維で縁取りした高分子製のネット構造体が張られ一体に縫製されるものである。合成繊維の例としては、例えば、ポリエステル、ポリプロピレン、ナイロンが挙げられる。
【００１０】
本考案の敷布団は上記の構成としたものであり、言ってみれば、カバ−の底面に目の粗いネット構造体を張ることにより空気の流通がよくなり、結露が発生しにくくなるため、結果的に黴の発生が抑えられるものとなると言う思想から来たものである。
【００１１】
かかる高分子のネット構造体は、格子構造体或いは表面ハニカム構造体が好ましく、素材は合成繊維或いは合成樹脂のいずれであっても良い。合成繊維の場合は厚みを持たせるためにメッシュ編や立体・起毛織により、樹脂にあっては圧延、裁断、穿孔等の加工を経てネット構造体は作製される。又、ネット構造体は平均サイズが０．５ｍｍ以上の骨格部分を持ち、骨格部分以外の空隙が占める面積比率はネット構造体の全面積の１０％以上を必要とし、望ましくは２０〜５０％程度が良い。その際、ネット構造体には起毛等で裏打ちされたものも含まれる。更にいえば、かかるネット構造体は側面に使用しても良い。合成樹脂にあっては、内抜き素材であってもよい。
【実施例】
【００１２】
本考案を図示の実施の形態に基づいて詳細に説明する。図１は本考案の敷布団の構成を示した断面図である。敷布団１は中芯２、カバー地３からなる。カバー地３は使用者が睡眠する表面４と側面５そして底面６からなるものである。
【００１３】
図２はカバー地の底面６を上向きにした際の斜視図である。
【００１４】
図３はカバー地の底面を構成するネット構造体の一例である表面ハニカム構造体１０を示す斜視図及び断面図であり、ポリエステル繊維１２を平面視で表面が六角形状の一層のハニカム１１状に束状１２ａに編み込み、この裏面に起毛材１１Ａが積層されたものである。ハニカム１１の骨格をなすポリエステル繊維１２は８４デシテックス、起毛材Ａのポリエステル繊維は５６デシテックスである（商標名：ソレルアップ（株式会社アルテモンド））。
【００１５】
（実験例）
縦、横、厚みの寸法が２００ｍｍ×２００ｍｍ×９０ｍｍである軟質ウレタンフォーム２に、本考案例として表地４及び側面５に綿布、底面６に図３で示すポリエステル繊維１２製の表面ハニカム構造体１０からなるカバー地で覆った試料１と、いずれの面も綿の織布のみからなるカバー地で覆った従来例の試料２とを用意し、恒温槽内にバット状の容器に入ったミネラル水と共に納め、温度２８℃、湿度９８％以上の条件下で、２１日にわたって放置する実験を行った。
【００１６】
実験の概要は次の通りである。先ずミネラル水を調整した。硝酸アンモニウム３．０ｇ、リン酸カリウム１．０ｇ、硫酸マグネシウム０．５ｇ、塩化カリウム０．２５ｇ、硫酸第１鉄０．００２ｇ、精製水１０００ｍｌの割合で調整した。そして、ステンレス製バットに２００ｍｌ入れ、試料の生地夫々について、３０秒程浸し浸漬処理を行った。その後、各生地をガラス棒を用い十分液を切った後、ポリエチレン製の袋の中に入れ、袋毎温度２８℃、相対湿度９５％にセットした高温高湿槽の中にいれて２１日間培養を行った。実験中、試料はいずれも底面側が下に向くように水の容器の上に張った格子状の底板の上に置き、放置期間中に発生した黴の状況を観察した。
【００１７】
実験の結果、発生した黴が底面の総面積に占めた割合は、底面が綿布の従来例・試料２の場合には４０％であったのに対し、本考案・試料１のポリエステル繊維１２製ネット構造体１０を用いた場合には、黴の発生を見ることはなかった。その理由は、底面に目の粗いネット構造体を張ると空気の流通がよくなり、結露が発生しにくくなるため、結果的に黴の発生が抑えられたものと考えられる。
【００１８】
又、カバー地を床面に置くと汚れるため、時に応じて掃除等が必要になるが、相応の網目を持つネット構造体が張ってあれば掃除機による手入れも簡単になり、外して洗濯によるカバー地に縮みも回避することができる。更に、カバー地の底面は常に清潔に保たれるため、ダニの発生も抑制される。
【産業上の利用可能性】
【００１９】
本考案は、底面に使われる繊維を薬剤で処理せずに防黴、防ダニ性を持たせた敷布団を提供することができたものであり、以上の説明で述べた敷布団は勿論であるが、座布団等にも利用可能であることは言うまでもない。
【図面の簡単な説明】
【００２０】
【図１】図１は本考案の敷布団の断面図である。
【図２】図２はカバー地の底面を上向きにした際の斜視図である。
【図３】図３はカバー地の底面を構成するネット構造体の一例を示す斜視図及び断面図である。
【符号の説明】
【００２１】
１‥敷布団
２‥中芯
３‥カバー地
４‥表面
５‥側面
６‥底面
１０‥表面ハニカム構造体、
１１‥ハニカム部、
１１Ａ‥不織布、
１１ａ‥ハニカムの骨格、
１２‥ポリエステル繊維、
１２ａ‥ポリエステル繊維束。
【図１】
0003128381.tif 000003
【図２】
0003128381.tif 000004
【図３】
0003128381.tif 000005